(57)【要約】【課題】マスターまたはスレーブを意識することなく、通信グループＩＤの選択やあらかじめの設定が無くても相手機器の接続先に接続できる端末装置、無線通信システム、無線通信方法および無線通信プログラムを提供する。【解決手段】第１無線通信を行う第１無線通信部２０５と、第１無線通信よりも通信距離が長い第２無線通信を行う第２無線通信部２０７と、接続先の情報を管理する接続管理部２０３と、第１無線通信により他機器と通信し、他機器が第２無線通信により接続しているか否かを判断する第１無線通信制御部２０４と、を備え、第２無線通信部２０７が非接続中であり、第１無線通信により通信した他機器が、第２無線通信により接続中である場合、他機器の第２無線通信の接続先のアドレス情報を第１無線通信により取得し、取得したアドレス情報をもとに、第２無線通信により他機器に接続する。【選択図】図２
2011091651.tif 000002
【特許請求の範囲】
【請求項１】
２種の無線通信の可能な端末装置であって、
第１無線通信として近接無線通信を行う第１無線通信部と、
前記第１無線通信よりも無線通信距離が長い第２無線通信を行う第２無線通信部と、
前記第２無線通信による接続先の情報を管理する接続管理部と、
前記第１無線通信により他機器と通信し、他機器が前記第２無線通信により接続しているか否かを判断する第１無線通信制御部と、を備え、
前記第２無線通信部が非接続中であり、かつ、前記第１無線通信により通信した他機器が、前記第２無線通信により接続中である場合、
他機器の前記第２無線通信の接続先のアドレス情報を前記第１無線通信により取得し、
前記取得したアドレス情報をもとに、前記第２無線通信により前記他機器に接続することを特徴とする端末装置。
【請求項２】
前記第１無線通信を行った他機器から、その他機器が前記第２無線通信で利用しているサービスを利用可能にするサービス情報を取得し、前記取得したサービス情報をもとに、前記第１無線通信を行った他機器で利用されているサービスを利用可能にすることを特徴とする請求項１記載の端末装置。
【請求項３】
前記第１無線通信を行った他機器および自端末のいずれも前記第２無線通信により非接続中であった場合に、前記第１無線通信を行った他機器に前記第２無線通信により接続することを特徴とする請求項１または請求項２記載の端末装置。
【請求項４】
２種の無線通信の可能な端末装置であって、
第１無線通信として近接無線通信を行う第１無線通信部と、
前記第１無線通信よりも無線通信距離が長い第２無線通信を行う第２無線通信部と、
前記第２無線通信による接続先の情報を管理する接続管理部と、を備え、
前記第１無線通信により、前記第２無線通信による接続状態の問い合わせを受けたときに、第２無線通信による接続の有無と、接続がある場合には接続先のアドレス情報を問い合わせ元に送信することを特徴とする端末装置。
【請求項５】
請求項１から請求項３のいずれかに記載の端末装置と、
前記端末装置が前記第１無線通信を行える他機器として請求項４記載の端末装置とを備えることを特徴とする無線通信システム。
【請求項６】
２種の無線通信の可能な端末装置を用いて通信する無線通信方法であって、
第１無線通信により他機器と通信し、その他機器が、前記第１無線通信よりも無線通信距離が長い第２無線通信により接続しているか否かを判断するステップと、
前記第２無線通信部が非接続中であり、かつ、前記第１無線通信を行った他機器が、前記第２無線通信により接続中である場合、前記第１無線通信を行った他機器の前記第２無線通信の接続先のアドレス情報を前記第１無線通信により取得するステップと、
前記取得したアドレス情報をもとに、前記第２無線通信により前記第１無線通信を行った他機器に接続するステップと、を含むことを特徴とする無線通信方法。
【請求項７】
２種の無線通信の可能な端末装置に実行させる無線通信プログラムであって、
第１無線通信により他機器と通信し、その他機器が、前記第１無線通信よりも無線通信距離が長い第２無線通信により接続しているか否かを判断する処理と、
前記第２無線通信部が非接続中であり、かつ、前記第１無線通信を行った他機器が、前記第２無線通信により接続中である場合、前記第１無線通信を行った他機器の前記第２無線通信の接続先のアドレス情報を前記第１無線通信により取得する処理と、
前記取得したアドレス情報をもとに、前記第２無線通信により前記第１無線通信を行った他機器に接続する処理と、を含むことを特徴とする無線通信プログラム。
【発明の詳細な説明】
【技術分野】
【０００１】
本発明は、２種の無線通信の可能な端末装置、これを用いた無線通信システム、無線通信方法および無線通信プログラムに関する。
【背景技術】
【０００２】
近年、ＰＣだけでなく、テレビやＳＴＢなど様々な機器がインターネットにつながるようになり、多様なサービスやコンテンツが利用できるようになっている。また、そのような機器は、付属のリモコンで操作するのが一般的であるが、携帯電話機でテレビ、またテレビに表示されているコンテンツを簡単に操作することもできる。このように、機器と機器が連携し、インターネット上のコンテンツを簡単に利用できるようになりつつある。
【０００３】
機器と機器が連携するためには、その機器と機器を接続させなければならないが、無線ＬＡＮやＢｌｕｅｔｏｏｔｈ（登録商標）などの指向性のない無線ネットワーク内では、接続する機器を指定するために、その無線ネットワーク内に存在する複数の機器の中から接続したい機器を選択することが困難である。この問題を解決するひとつの方法として、特許文献１が知られている。特許文献１記載の通信システムは、指向性のないＢｌｕｅｔｏｏｔｈ（登録商標）のような近距離無線通信とタッチするくらいの近い距離で通信可能になるＦｅｌｉｃａ（登録商標）のような近接無線通信と、を利用することで、簡単な操作で機器と機器を接続する（特許文献１参照）。
【０００４】
特許文献１記載の通信システムでは、二つの端末間を近距離無線通信で接続するために、接続に必要なアドレス情報を片側の端末から近接無線通信で送信して、そのアドレスを受信した端末がアドレス情報を利用して近距離無線通信での接続を要求する。このアドレス情報には、自端末のアドレスが記載されており、接続に必要な自端末のアドレス情報を相手に知らせることで、相手から接続要求が可能になり、簡単な操作で接続先を指定して、接続が可能となる。このように近接無線通信による接続をきっかけとする接続技術が知られている。
【０００５】
また、特許文献２記載の通信システムは、特許文献１に記載されるような１対１の通信でなく、１対多の通信を可能にする。この通信システムはマスター(１対多の「１」となるもの)とスレーブ（１対多の「多」となるもの）の関係を有している。マスター端末とスレーブ端末が近接無線通信を行うと、マスター端末からスレーブ端末へ、マスター端末のアドレス情報を渡され、スレーブ端末はそのマスター端末のアドレス情報を利用して、近距離無線通信の接続を行う。また、マスター端末のアドレス情報を持つスレーブ端末とマスター端末のアドレス情報を持たないスレーブ端末が近接無線通信を行うと、マスター端末のアドレス情報を持つ端末から持っていない端末へマスターのアドレス情報を渡し、マスター端末のアドレス情報を受け取った端末がマスター端末と近距離無線通信を行う。
【０００６】
このように、近接無線通信を指向性のない無線通信の接続先の選択手段として利用することで、タッチという簡単な選択操作で指定の機器と接続することが可能となる。この技術をテレビと携帯端末の接続に応用すると、携帯端末がテレビと接続するために、テレビにタッチ（近接無線通信）することで、簡単にテレビと携帯端末を接続することができる。
【０００７】
特許文献２記載の通信システムは、機器２のユーザが機器２のボタンを押して、機器１に接続するために機器２を機器１に近づけると、機器１と機器２が近接無線通信（非接触ＩＣ通信）を行う。そして、機器１が持つ通信グループＩＤという機器固有のアドレスを機器２に渡し、機器２が通信グループＩＤに記載されているアドレス先に近距離無線通信で接続を要求して通信する。このように、あらかじめ機器が持つ通信グループＩＤを利用して、機器と機器とが接続する。また、機器２は複数の通信グループＩＤを取得することができるため、たとえば、機器２が機器３に近接無線通信で通信すれば、機器３が持っている通信グループＩＤも取得できる。
【先行技術文献】
【特許文献】
【０００８】
【特許文献１】国際公開第２００３/０３４６６０号パンフレット
【特許文献２】国際公開第２００３/０３４６６１号パンフレット
【発明の概要】
【発明が解決しようとする課題】
【０００９】
しかしながら、機器４が機器２に対して近接無線通信で接続した場合には、機器２は複数の通信グループＩＤを保有するため、いずれかの通信グループＩＤを選択して渡すか、すべての通信グループＩＤを渡す必要が生じる。いずれかの通信グループＩＤを選択して渡す場合、通信グループＩＤを持つ機器（機器２）を利用しているユーザが、非接触ＩＣで通信中に相手の機器（機器４）に送信する通信グループＩＤを選択しなければならず、選択の手間が生じる。また、複数の通信グループＩＤを渡す場合、機器４において受け取った通信グループＩＤから接続したい機器を選択しなければならず、結局、機器４のユーザに選択の手間が生じる。また、特許文献２記載の通信システムは、マスター端末は、他のマスター端末とは通信をできないため、マスター端末間の接続はできない。
【００１０】
また、スレーブ端末は、マスター端末、または、マスター端末の情報を有する端末にマスター端末の情報を提供してもらい、マスター端末と接続する。したがって、マスター端末の情報を持たない端末同士の場合は、接続できず、この仕組みでは、通信グループＩＤを持っていないスレーブ端末間では通信できない。なお、マスター端末はあらかじめ、通信グループＩＤを自身のアドレスに設定していなければならない。
【００１１】
本発明は、このような事情に鑑みてなされたものであり、マスターまたはスレーブを意識することなく、通信グループＩＤの選択やあらかじめの設定が無くても相手機器の接続先に接続できる端末装置、無線通信システム、無線通信方法および無線通信プログラムを提供することを目的とする。
【課題を解決するための手段】
【００１２】
（１）上記の目的を達成するため、本発明の端末装置は、２種の無線通信の可能な端末装置であって、第１無線通信として近接無線通信を行う第１無線通信部と、前記第１無線通信よりも無線通信距離が長い第２無線通信を行う第２無線通信部と、前記第２無線通信による接続先の情報を管理する接続管理部と、前記第１無線通信により他機器と通信し、他機器が前記第２無線通信により接続しているか否かを判断する第１無線通信制御部と、を備え、前記第２無線通信部が非接続中であり、かつ、前記第１無線通信により通信した他機器が、前記第２無線通信により接続中である場合、他機器の前記第２無線通信の接続先のアドレス情報を前記第１無線通信により取得し、前記取得したアドレス情報をもとに、前記第２無線通信により前記他機器に接続することを特徴としている。
【００１３】
これにより、マスターまたはスレーブを意識することなく、他機器と第１無線通信を行うだけで簡単に他機器の接続先の機器と接続することができる。また、接続先のアドレス情報を複数持っている場合でも、アドレス情報の選択等を行うことなく簡単に特定の機器と接続できる。また、目の前に他機器の接続先である機器が無くても簡単にその機器と接続できる。なお、第１無線通信は、たとえばＦｅｌｉｃａ（登録商標）などの近接無線通信である。また、第２無線通信は、たとえば無線ＬＡＮ、ＷｉＦｉ、Ｂｌｕｅｔｏｏｔｈなどの第１無線通信より通信距離が長い通信である。
【００１４】
（２）また、本発明の端末装置は、前記第１無線通信を行った他機器から、その他機器が前記第２無線通信で利用しているサービスを利用可能にするサービス情報を取得し、前記取得したサービス情報をもとに、前記第１無線通信を行った他機器で利用されているサービスを利用可能にすることを特徴としている。これにより、単に他機器の接続先に接続するだけでなく、現在、他機器のユーザが利用しているサービスまたはコンテンツに簡単に接続できる。
【００１５】
（３）また、本発明の端末装置は、前記第１無線通信を行った他機器および自端末のいずれも前記第２無線通信により非接続中であった場合に、前記第１無線通信を行った他機器に前記第２無線通信により接続することを特徴としている。
【００１６】
このように第１無線通信を行った他機器に第２無線通信により接続するため、離れていることが非接続を意味し、近づくことが接続を意味することになり、第２無線通信のＵＩとしてユーザにとって自然でわかりやすくなる。そして、ボタンを押して設定したり、事前に登録したりすることなしに、単に非接続の二つの機器を近づけるという自然の操作で、端末間を接続させることができる。
【００１７】
（４）また、本発明の端末装置は、２種の無線通信の可能な端末装置であって、第１無線通信として近接無線通信を行う第１無線通信部と、前記第１無線通信よりも無線通信距離が長い第２無線通信を行う第２無線通信部と、前記第２無線通信による接続先の情報を管理する接続管理部と、を備え、前記第１無線通信により、前記第２無線通信による接続状態の問い合わせを受けたときに、第２無線通信による接続の有無と、接続がある場合には接続先のアドレス情報を問い合わせ元に送信することを特徴としている。これにより、問い合わせ元に自端末が第２無線通信を行う接続先へ接続可能にさせることができる。
【００１８】
（５）また、本発明の無線通信システムは、上記の端末装置と、前記端末装置が前記第１無線通信を行える他機器として上記の端末装置とを備えることを特徴としている。これにより、マスター、スレーブを意識することなく、他機器と第１無線通信を行う簡単に他機器の接続先の機器と接続することができる。また、接続先のアドレス情報を複数持っている場合でも、アドレス情報の選択等を行うことなく簡単に特定の機器と接続できる。また、目の前に他機器の接続先である機器が無くても簡単にその機器と接続できる。
【００１９】
（６）また、本発明の無線通信方法は、２種の無線通信の可能な端末装置を用いて通信する無線通信方法であって、第１無線通信により他機器と通信し、その他機器が、前記第１無線通信よりも無線通信距離が長い第２無線通信により接続しているか否かを判断するステップと、前記第２無線通信部が非接続中であり、かつ、前記第１無線通信を行った他機器が、前記第２無線通信により接続中である場合、前記第１無線通信を行った他機器の前記第２無線通信の接続先のアドレス情報を前記第１無線通信により取得するステップと、前記取得したアドレス情報をもとに、前記第２無線通信により前記第１無線通信を行った他機器に接続するステップと、を含むことを特徴としている。これにより、第１無線通信により他機器と通信を行うだけで簡単に他機器の接続先の機器と接続することができる。
【００２０】
（７）また、本発明の無線通信プログラムは、２種の無線通信の可能な端末装置に実行させる無線通信プログラムであって、第１無線通信により他機器と通信し、その他機器が、前記第１無線通信よりも無線通信距離が長い第２無線通信により接続しているか否かを判断する処理と、前記第２無線通信部が非接続中であり、かつ、前記第１無線通信を行った他機器が、前記第２無線通信により接続中である場合、前記第１無線通信を行った他機器の前記第２無線通信の接続先のアドレス情報を前記第１無線通信により取得する処理と、前記取得したアドレス情報をもとに、前記第２無線通信により前記第１無線通信を行った他機器に接続する処理と、を含むことを特徴としている。これにより、第１無線通信により他機器と通信を行うだけで簡単に他機器の接続先の機器と接続することができる。
【発明の効果】
【００２１】
本発明によれば、マスターまたはスレーブを意識することなく、通信グループＩＤの選択やあらかじめの設定が無くても相手機器の接続先に接続できる。
【図面の簡単な説明】
【００２２】
【図１】第１の実施形態に係る無線通信システムの構成の一例を示す図である。
【図２】第１の実施形態に係る携帯電話機（端末装置）の構成を示すブロック図である。
【図３】第１の実施形態に係る無線通信システムの処理の一例を示すシーケンスチャートである。
【図４】第１の実施形態に係る携帯電話機（端末装置）の処理を示すフローチャートである。
【図５】第３の実施形態に係る無線通信システムの処理の一例を示すシーケンスチャートである。
【図６】第４の実施形態に係る無線通信システムの構成の一例を示す図である。
【図７】第５の実施形態に係る無線通信システムの構成の一例を示す図である。
【図８】第５の実施形態に係る携帯電話機（端末装置）の構成を示すブロック図である。
【図９】第５の実施形態に係る無線通信システムの処理の一例を示すシーケンスチャートである。
【図１０】第５の実施形態に係る携帯電話機の処理を示すフローチャートである。
【図１１】第５の実施形態に係る携帯電話機の処理を示すフローチャートである。
【図１２】サービス管理部が管理するユーザＩＤ管理表を示す図である。
【発明を実施するための形態】
【００２３】
次に、本発明の実施の形態について、図面を参照しながら説明する。説明の理解を容易にするため、各図面において同一の構成要素に対しては同一の参照番号を付し、重複する説明は省略する。なお、以下に説明する例は一例であって、本発明を限定するものではない。
【００２４】
［第１の実施形態］
（システム構成）
図１は、無線通信システム１００の構成の一例を示す図である。図１に示す例において、無線通信システム１００は、テレビ１０１〜１０３、ルータ１０４、携帯電話機１０５〜１０８、インターネット１０９、およびサービスサーバ１１０を備えている。テレビ１０１は、インターネット１０９を経由してサービスサーバ１１０からコンテンツを取得して表示する。ＷｉＦｉなどの無線通信機能を搭載した携帯電話機１０５は、テレビ１０１の操作端末として使用可能である。携帯電話機１０５は、無線ＬＡＮルータ１０４を経由してテレビ１０１と通信し、テレビ１０１に表示されたコンテンツについて操作指示を送る。なお、テレビ１０１は、付属のリモコンでも操作可能である。
【００２５】
テレビ１０１〜１０３は、無線ＬＡＮルータ１０４と接続しており、無線ＬＡＮルータ１０４は、インターネット１０９上にあるサービスサーバ１１０と通信している。携帯電話機１０６〜１０８は、携帯電話機１０５と同様の機能を持ち、無線ＬＡＮルータ１０４のエリア内に存在しているが、テレビ１０１とは通信していない。携帯電話機１０５は、テレビ１０１と通信するための手段の一つとして、携帯電話機１０５で同一ネットワーク内に存在するテレビを検索できる。図１の例では、ネットワーク内にテレビ１０１〜１０３が存在するため、携帯電話機１０５のモニターには、テレビ１０１〜１０３を示す名前またはアイコンが表示される。その中から、テレビ１０１をユーザが選択し、携帯電話機１０５とテレビ１０１とを接続させることができる。携帯電話機１０６〜１０８がテレビ１０１と通信するための構成、その場合の動作も同一である。
【００２６】
ここで、携帯電話機１０５とテレビ１０１との接続方法は、上記の方法に限られず、事前に携帯電話機１０５にテレビ１０１を登録して、自動でテレビ１０１につながるようにしてもよく、また他の方法でもよい。また、テレビ１０１が携帯電話機と同様に、ＷｉＦｉなどの無線通信機能とＦｅｌｉｃａなどの近接無線通信機能を有していてもよい。また、テレビ１０１のサービスを携帯電話機１０５が利用する場合に、ログインなどの認証があってもよい。
【００２７】
なお、上記の例では、テレビ１０１と携帯電話機１０５とが連携しているが、この例に限られず、テレビ１０１に代えてＳＴＢのような情報処理装置と携帯電話機１０５とを連携させてもよい。また、携帯電話機１０５は、ＰＤＡのような携帯端末であってもよい。
【００２８】
（携帯電話機の構成）
図２は、携帯電話機１０５、１０６の構成を示すブロック図である。携帯電話機１０５、１０６（端末装置）は、表示部２０１、表示制御部２０２、接続管理部２０３、第１無線通信制御部２０４、第１無線通信部２０５、第２無線通信制御部２０６および第２無線通信部２０７を備えている。
【００２９】
表示部２０１は、ユーザの操作に応じた画面を表示する。表示制御部２０２は、第１無線通信制御部２０４、第２無線通信制御部２０６および接続管理部２０３から情報を受けて、第１無線通信部２０５の接続状態、また、第２無線通信部２０７の接続状態、接続管理部２０３からのイベント情報の表示を表示部２０１に指示する。表示制御部２０２は、たとえば、第１無線通信部２０５が通信中であるなら、「Ｆｅｌｉｃａ通信中です」等と第１無線通信により通信中であることを表示し、第２無線通信部２０７の通信が終了したら、「無線ＬＡＮ通信が切断されました」等と通信終了を表示するように表示部２０１に指示し、ユーザへ接続状態を通知する。
【００３０】
また、接続管理部２０３が第２無線通信部２０７の接続先のアドレス情報を渡した場合に、表示部２０１に「テレビのアドレス情報をＦｅｌｉｃａ通信で渡しました」とアドレス情報の送信を表示させてもよい。また、接続先のアドレス情報を渡す際に、ユーザが許可するか否かの確認をとる場合は、「テレビのアドレス情報を渡しますか？」と問い合わせを表示部２０１に表示させ、ユーザに許可するか否かを選択させてもよい。また、アドレス情報を受け取り、アドレス先に接続する場合には、「タッチしている機器が接続しているテレビと接続します。」と表示部２０１に表示させて、他機器の接続先に接続することをユーザに通知してもよい。
【００３１】
接続管理部２０３は、第１無線通信部２０５の接続状態、第２無線通信部２０７の接続状態の管理、制御を行う。第１無線通信部２０５の接続状態に関しては、第１無線通信制御部２０４から情報を受け取る。また、第２無線通信部２０７の接続状態に関しては、第２無線通信制御部から情報を受け取る。第１無線通信部２０５の接続状態とは、第１無線通信部２０５が通信中であるか否かの状態を指す。第１無線通信部２０５が通信中である場合には、接続管理部２０３は、その通信の通信相手の情報（アドレス情報など）を管理している。第２無線通信部２０７の接続状態についても同様に、通信相手の情報を管理している。
【００３２】
接続管理部２０３は、第１無線通信制御部２０４から第２無線通信部２０７の接続状態、また、第２無線通信部２０７の通信先の情報（アドレス情報など）の問い合わせがあった場合、その問い合わせに対する結果を返す。たとえば、テレビ１０１と携帯電話機１０５とが第２無線通信方式で通信中であるときに、携帯電話機１０６を携帯電話機１０５に近づけると、携帯電話機１０６が携帯電話機１０５に第２無線通信しているか否かを問い合わせる。そして、接続管理部２０３は、通信中のテレビ１０１のアドレス情報を携帯電話機１０６に返す。
【００３３】
また、接続管理部２０３は、自機器が親機として、設定されているかどうかを示すフラグを管理している。親機は、テレビのようアクセスさせることを主とする機器を意味し、いくつもの機器と接続されるため、自機器の第２無線通信部２０７のアドレスを常時返す機能を有する。接続管理部２０３は、この親機であるかを判断するフラグを管理し、接続状態やアドレス情報の問い合わせがあった場合に、自機器の第２無線通信部２０７のアドレスを返す処理を行う。なお、通常、製品出荷時に予め親機でないと設定されていても、ユーザの操作で親機と設定できる。
【００３４】
第１無線通信制御部２０４は、第１無線通信部２０５を制御し、第１無線通信部２０５が通信を開始したら、通信相手（他機器）の第２無線通信部２０７の接続状況およびアドレス情報を問い合わせ、その問い合わせの結果を接続管理部２０３に渡す。第１無線通信部２０５は、第１の無線通信としてＦｅｌｉｃａ（登録商標）などの近接無線通信が可能な無線通信モジュールである。第１無線通信部２０５は、別機器の第１無線通信部２０５と近接したときに、近接無線通信を行い、電子情報の送受信ができる。
【００３５】
一方、第２無線通信制御部２０６は、第２無線通信部２０７の制御を行い、接続管理部２０３が管理するアドレス先の機器の第２無線通信部２０７と通信させる。第２無線通信部２０７は、第２の無線通信として無線ＬＡＮ、ＷｉＦｉ、Ｂｌｕｅｔｏｏｔｈ（登録商標）などの第１無線通信部２０５より通信距離が長い無線通信を行うモジュールであり、別機器の第２無線通信部２０７と電子情報の送受信ができる。なお、以下の説明において機器が異なっていても第１の無線通信を行う構成部分を第１無線通信部２０５と呼び、第２の無線通信を行う構成部分を第２無線通信部２０７と呼ぶ。
【００３６】
（システムの処理）
図３は、無線通信システム１００の処理の一例を示すシーケンスチャートである。図３に示す例では、携帯電話機１０５が第２無線通信でテレビ１０１と接続している。一方、携帯電話機１０６の第２無線通信部２０７は非接続である。このときに携帯電話機１０５と携帯電話機１０６とが第１無線通信部２０５で接続する場合の処理を示している。
【００３７】
まず、携帯電話機１０５の第２無線通信部２０７が無線ＬＡＮルータを経て、テレビ１０１と接続している（ステップＳ１）。携帯電話機１０６を携帯電話機１０５に近接させると（ステップＳ２）、それぞれの第１無線通信部２０５が接続処理を行い、近接無線通信（第１の無線通信）を開始する（ステップＳ３）。そして、携帯電話機１０６が携帯電話機１０５に対し、携帯電話機１０６の第２無線通信部２０７の接続状態を問い合わせる（ステップＳ４）。このとき、携帯電話機１０５の第２無線通信部２０７はテレビ１０１と接続中であるので、接続中であるという情報を携帯電話機１０６に対して通知する（ステップＳ５）。
【００３８】
携帯電話機１０６は、携帯電話機１０５が接続中であるという情報を受け、携帯電話機１０５に対して、携帯電話機１０５の第２無線通信部２０７が接続している接続先のアドレス情報（テレビの第２無線通信部２０７のアドレス情報）の提供を要求する（ステップＳ６）。携帯電話機１０５は、第２無線通信部２０７で通信している相手（テレビ１０１）のアドレス情報を携帯電話機１０６に渡す（ステップＳ７）。携帯電話機１０６は、受け取った携帯電話機１０５の第２無線通信部２０７が通信しているテレビ１０１のアドレス情報を利用して、テレビ１０１に第２無線通信での接続を要求する（ステップＳ８）。そのテレビ１０１は接続を許可し（ステップＳ９）、認証により接続処理を行い、第２無線通信を行う（ステップＳ１０）。
【００３９】
なお、上記の処理では、携帯電話機１０６から携帯電話機１０５に接続要求を行っているのは、携帯電話機１０５が接続中であるためである。基本的に、自機器の第２無線通信部２０７が接続中であれば、非接触通信で別機器の第２無線通信部２０７の接続要求は行わない。
【００４０】
以上のように、片側の機器が接続中であり、もう片側の機器が非接続状態である場合は、接続中の機器が接続している先の機器の情報を非接続状態の機器に渡して、非接続状態の機器が近接無線通信した機器と同じ機器に接続することができる。
【００４１】
たとえば、ユーザＡがテレビ１０１のコンテンツを携帯電話機１０５で操作して楽しんでいるときに、ユーザＡが楽しんでいるテレビ１０１に携帯電話機１０６を接続したいユーザＢが現れたとする。このような場合、従来であれば、ユーザＢはネットワーク内に存在するテレビ１０１から指定のテレビ１０２を選択して接続するか、指定のテレビ１０２のところまで足を運び、近接無線通信で携帯電話機１０６との接続をしなければならない。このような手順はユーザＢにとって煩雑であり、面倒な作業である。
【００４２】
しかしながら、本発明が適用されていれば、ユーザＡの携帯電話機１０５にタッチすることで指定のテレビ１０２と接続することができて、ユーザＡと一緒にテレビのコンテンツを楽しむことができる。このような手順は、ユーザＡが利用しているテレビ１０１を一緒に楽しみたいというユーザＢの意思にも沿っている。
【００４３】
なお、携帯電話機１０５に親機の設定がなされている場合には、第２の無線通信の接続状態の問い合わせに対して、携帯電話機１０５は上記ステップＳ５において「非接続」と回答し、自機器の第２無線通信部２０７のアドレスを返す。このように、常に自機器のアドレスを返す処理を行い、アドレスを受け取った相手の機器に、自機器に対して接続要求を行わせることで、常に、相手の機器は、親機となる機器と接続することができる。
【００４４】
（携帯電話機の処理）
図４は、携帯電話機１０６の処理を示すフローチャートである。第１無線通信制御部２０４が第１無線通信部２０５の接続状態を確認する（ステップＴ１）。接続状態が接続中に変化した場合、まず、自端末が親機であるかを接続管理部２０３に確認する（ステップＴ２）。親機であれば、処理を終了し、親機でなければ、第２無線通信部２０７が通信中であるか否かを接続管理部２０３に確認する（ステップＴ３）。第２無線通信部２０７が接続中である場合は、処理を終了する。一方、第２無線通信部２０７が非接続であれば、第１無線通信部２０５の通信先の機器に対して、その機器の第２無線通信部２０７が接続中であるかを問い合わせる（ステップＴ４）。そして、相手端末からの回答を確認する（ステップＴ５）。
【００４５】
回答があったときに問い合わせの結果が非接続であれば、その相手機器の第２無線通信部２０７のアドレス情報を要求する（ステップＴ６）。そしてアドレス情報の取得を確認し（ステップＴ７）、取得したときにはステップＴ１０に進む。一方、ステップＴ４における問い合わせ結果が接続中であれば、その相手機器の第２無線通信部２０７と通信している機器の第２無線通信部２０７のアドレス情報を要求する（ステップＴ８）。そしてアドレス情報の取得を確認し（ステップＴ９）、取得したときにはステップＴ１０に進む。なお、問い合わせを受けた相手機器が親機であった場合には、常に「非接続」と回答し、自機器のアドレス情報を返す。これにより、問い合わせた機器は親機に接続を要求することになる。
【００４６】
アドレス情報を取得した携帯電話機１０６は、アドレス情報により特定される機器に対して、第２無線通信の接続を要求する（ステップＴ１０）。そして、接続先からの接続許可の取得を確認し（ステップＴ１１）、接続許可が得られたときには第２の無線通信によりアドレス情報により特定される機器を認証、接続して通信を行う（ステップＴ１２）。このように、機器の第２無線通信部２０７の接続状態を常時監視し、その接続状態に応じて機器と機器の接続処理を行う。これにより、相手機器は、複数の接続先リストを保持していたとしても、接続してきた機器に、現時点の接続中のアドレスを渡すことができる。その結果、ユーザの利用状態に応じた接続先を提供することができ、複数の接続先リストを容易に管理しつつ提供できる。
【００４７】
このように、本発明では近接無線通信を行う２つの機器の第２無線通信の接続状態に応じて、処理が変化する。さらにその処理は、ユーザの要望に合わせて自動的に処理される。たとえば、テレビのコンテンツを携帯電話機で利用している人がいて、その人と一緒にテレビを楽しみたい場合、その人の携帯電話機にタッチすれば、自分の携帯電話機がテレビにつながり、テレビを操作することができる。
【００４８】
また、相手がどの機器とも接続しておらず、お互いが通信したい場合は、そのまま機器を近づけるだけでその相手の機器と通信することができる。ユーザにとっては単に機器を持って近づけるだけであり簡単である。
【００４９】
なお、基本的には接続した相手の接続先につながるが、テレビのようなコンテンツを表示する機器に対しては、接続中であっても自分のアドレスを渡すように、親機として設定をすることもできる。テレビのようなコンテンツを表示する機器は、通常、操作される側であるためである。
【００５０】
［第２の実施形態］
上記の実施形態では、複数のテレビのうちの一台のテレビ１０１に接続している携帯電話機１０５に、携帯電話機１０６を近接させてテレビ１０１に接続させているが、携帯電話機１０５が複数のテレビに接続している場合に特定のものとして認識されるテレビに携帯電話機１０６を接続させることとしてもよい。
【００５１】
この場合、無線通信システム１００は、図１と同様であり、テレビ１０１は有線通信部を持ち、無線ＬＡＮルータ１０４に有線で接続して、ネットワーク上に存在する。携帯電話機１０５は、無線ＬＡＮルータ１０４のネットワーク内に存在し、第２の無線通信でこのネットワーク上に存在している。つまり、携帯電話機１０５とテレビ１０１は同一ネットワーク内に存在し、携帯電話機１０５は、ネットワーク上に存在する複数のテレビからテレビ１０１を選択して、接続している。この状態で、携帯電話機１０６が携帯電話機１０５に第１の無線通信方式での通信をした場合に、携帯電話機１０５がテレビ１０１のアドレスを携帯電話機１０６に渡して、携帯電話機１０６が、テレビ１０１と接続する。つまり、上記の無線通信システム１００の構成の例では、同一ネットワーク内にある複数の機器の中で、テレビ１０１と携帯電話機１０５とが接続する。
【００５２】
その他にも、携帯電話機１０５は、第２の無線通信を利用してネットワーク内でテレビ１０１だけでなくテレビ１０２やテレビ１０３とも同時に接続できる。つまり、携帯電話機１０５がテレビ１０１〜１０３と接続が確立している状態ともなりうる。たとえば、携帯電話機１０５の表示部２０１に、テレビ１０１〜１０３と関連したそれぞれのウィンドウが存在している場合、ユーザが利用しているウィンドウをアクティブにすることができる。そして、アクティブになっているウィンドウと関連するテレビを接続先とし、そのテレビのアドレスを他の携帯電話機１０６に渡すことができる。つまり、携帯電話機１０６が携帯電話機１０５に近づき第１の無線通信で接続したときに、携帯電話機１０５の表示部２０１でアクティブになっているウィンドウに関連するテレビのアドレスを携帯電話機１０６に渡す。
【００５３】
［第３の実施形態］
上記の実施形態では、問い合わせを受けた端末が接続先のアドレス情報を返信するが、接続先がない場合には端末自体のアドレス情報を返信してもよい。
【００５４】
図５は、他機器の第２無線通信部２０７が非接続である場合の無線通信システム１００の処理の一例を示すシーケンスチャートである。携帯電話機１０５とテレビ１０１が近接し（ステップＰ１）、第１無線通信部２０５のお互いの通信エリア内に入った場合、それぞれが接続処理を行い、第１無線通信として近接無線通信を開始する（ステップＰ２）。
【００５５】
次に、携帯電話機１０５がテレビ１０１に対し、テレビ１０１が持つ第２無線通信部２０７の接続状態を問い合わせる（ステップＰ３）。このとき、テレビ１０１の第２無線通信部２０７は非接続なので、テレビ１０１は、非接続状態であるという情報を携帯電話機１０５に対して通知する（ステップＰ４）。携帯電話機１０５は、テレビ１０１の第２無線通信が非接続であるという情報を受け、テレビ１０１に対して、第２無線通信部２０７のアドレス情報の提供を要求する（ステップＰ５）。
【００５６】
これに対し、テレビ１０１は第２無線通信部２０７のアドレス情報を携帯電話機１０５に渡す（ステップＰ６）。携帯電話機１０５は、受け取ったテレビ１０１の第２無線通信部２０７のアドレス情報を利用して、テレビ１０１に第２無線通信での接続を要求する（ステップＰ７）。テレビ１０１は接続を許可し（ステップＰ８）、認証により接続処理を行い、携帯電話機１０５と通信する（ステップＰ９）。
【００５７】
なお、上記の例ではテレビ１０１と携帯電話機１０５とが通信しているが、第２無線通信部２０７が非接続である２台の携帯電話機が接続する場合も同様の接続処理がなされる。また、上記の例では携帯電話機１０５からテレビ１０１に接続要求するが、逆に、テレビ１０１から接続要求してもよい。いずれの場合でも、お互いが非接続であることを確認して、接続要求する。このように、二つの機器が共に、非接続状態であった場合は、その二つの機器を接続可能とすることができる。
【００５８】
ユーザは機器を利用し、管理しているため、接続状態を把握している。このため、非接続の機器と非接続の機器とをユーザが近づける行為は、通常、非接続の機器同士を互いに接続させたいという意思を表している。つまり、「非接続＝つながっていない（離れている）」、「接続＝つながること（接する）」という意味を持つため、無線通信システム１００はユーザにとって自然でわかりやすいＵＩとなる。つまり、ボタンを押して設定したり、事前に登録したりする操作が不要であり、ただ非接続の二つの機器を近づけるという自然の操作をすることで、ユーザは機器と機器とを接続させることができる。
【００５９】
［第４の実施形態］
第１の実施形態では、テレビ１０１と接続中の携帯電話機１０５に携帯電話機１０６を近接させるが、携帯電話機１１１と接続中の携帯電話機１０５に携帯電話機１０６を近接させる場合も同様の処理により携帯電話機１１１と携帯電話機１０６との接続が可能となる。
【００６０】
図６は、接続先が携帯電話機である無線通信システム４００の構成の一例を示す図である。携帯電話機１１１は、無線ＬＡＮルータ１０４と接続しており、無線ＬＡＮルータ１０４は、インターネット１０９上にあるサービスサーバ１１０と通信している。携帯電話機１１１は、携帯電話機１０５と同様の機能を有している。
【００６１】
まず、携帯電話機１０５の第２無線通信部２０７が無線ＬＡＮルータを経て、携帯電話機１１１と接続している。携帯電話機１０６を携帯電話機１０５に近接させると、それぞれの第１無線通信部２０５が接続処理を行い、近接無線通信（第１の無線通信）を開始する。そして、携帯電話機１０６が携帯電話機１０５に対し、携帯電話機１０６の第２無線通信部２０７の接続状態を問い合わせる。このとき、携帯電話機１０５の第２無線通信部２０７は接続中であるという情報を携帯電話機１０６に対して通知する。
【００６２】
携帯電話機１０６は、携帯電話機１０５が接続中であるという情報を受け、携帯電話機１０５に対して、携帯電話機１０５の第２無線通信部２０７が接続している接続先のアドレス情報の提供を要求する。携帯電話機１０５は、第２無線通信部２０７で通信している携帯電話機１１１のアドレス情報を携帯電話機１０６に渡す。携帯電話機１０６は、受け取った携帯電話機１０５の第２無線通信部２０７が通信している携帯電話機１１１のアドレス情報を利用して、携帯電話機１１１に第２無線通信での接続を要求する。その携帯電話機１１１は接続を許可し、接続処理を行い、第２無線通信を行う。
【００６３】
［第５の実施形態］
第１の実施形態では動的に変化するアドレス情報が受け渡されるが、これに加え、利用しているサービスの情報を受け渡しすることもできる。これにより、現在ユーザが利用しているサービスまたはコンテンツに、他のユーザが簡単に接続でき、利用できる。
【００６４】
（システムの構成）
図７は、接続先が携帯電話機である無線通信システム５００の構成の一例を示す図である。ユーザは、携帯電話機５０５により、サービスサーバのコンテンツサービスを利用している。サービスを利用するためにはリモコンアプリＲが必要となる。機器構成や携帯電話機の機能ブロックは、第１の実施形態におけるものと同様であるが、携帯電話機５０５にサービス管理部２０８が追加されている点で異なる。
【００６５】
コンテンツサービスとは、サービスサーバ１１０からテレビ１０１〜１０３、携帯電話機５０５〜５０８にコンテンツ、またはアプリケーションを提供するサービスである。また、ユーザはサービスに登録されたユーザＩＤを用いてサービスにログインすることができ、ログインすることで、ユーザは通常のサービスよりも多くのサービス、またはユーザにあったサービスを受けることができる。サービスサーバ１１０には各コンテンツに応じたリモコンアプリＲが蓄積されており、携帯電話機５０５は、サービスサーバからコンテンツに応じたリモコンアプリＲを受信し、起動させている。また、携帯電話機５０５は、ユーザのログインＩＤデータＬを保有している。
【００６６】
例えば、ゲームのようなコンテンツの場合、一人でログインしている利用している場合には、テレビ１０１には一人用のゲーム画面、携帯電話機５０５には、一人用のリモコン画面が表示される。この状態で、次に、もう一人のユーザがログインした場合には、テレビには、二人用のゲーム画面が提供され、携帯電話機５０６には、それぞれのユーザに適したリモコン画面が表示される。これにより、ゲームで１対１の対戦をすることや、２人で同時にゲームをすることができる。無線通信システム５００では、携帯電話機５０６を携帯電話機５０５にタッチすることで、携帯電話機５０６はサービスにアクセスするためのサービス情報を入手し、サービスサーバ１１０からリモコンアプリＲを取得できる。なお、サービス情報とはサービスを利用可能にするための情報であり、サービス一時利用許可情報、携帯電話機１０５のログインＩＤ情報、携帯電話機１０５の利用するサービスを特定する情報を含む。
【００６７】
（携帯電話機の構成）
図８は、携帯電話機５０５、５０６の構成を示すブロック図である。サービス管理部２０８は、携帯電話機５０５、５０６（端末装置）が利用しているサービス情報を管理し、また、様々なサービスのユーザＩＤ、パスワードなどを管理している。サービス管理部２０８は、第１無線通信制御部２０４からサービス情報の問い合わせがあれば、利用しているサービス情報を渡す。
【００６８】
なお、サービス情報とは、利用サービスを特定するサービスＩＤと、サービスを利用しているユーザを特定するユーザＩＤを指す。ただし、サービス情報は、これらに限られず、サービスを一時的に利用できる一時利用発行情報等、サービス情報を受信した携帯電話機がサービスを利用するためのもの、または、きっかけとなるものであればどのような情報でもよい。また、サービス管理部２０８はサービスＩＤに対応したユーザＩＤ、パスワードを保持し、第２無線通信を利用して通信相手にサービス情報を渡すことができる。このサービス管理部２０８を有する携帯電話機５０５、５０６およびこれを含む無線通信システム５００の動作、処理について、以下に説明する。
【００６９】
（システムの処理）
図９は、無線通信システム５００の処理の一例を示すシーケンスチャートである。図９に示すように、テレビ１０１はサービスサーバ１１０と接続している（ステップＱ１）。そして、携帯電話機５０５は、テレビ１０１と第２の無線通信により接続している（ステップＱ２）。携帯電話機５０６を携帯電話機５０５に近接させると（ステップＱ３）、それぞれの第１無線通信部２０５が接続処理を行い、近接無線通信（第１の無線通信）を開始する（ステップＱ４）。そして、携帯電話機５０６が携帯電話機５０５に対し、携帯電話機５０６の第２無線通信部２０７の接続状態を問い合わせる（ステップＱ５）。このとき、携帯電話機５０５の第２無線通信部２０７はテレビ１０１と接続中であるので、接続中であるという情報を携帯電話機５０６に対して通知する（ステップＱ６）。
【００７０】
携帯電話機５０６は、携帯電話機５０５が接続中であるという情報を受け、携帯電話機５０５に対して、携帯電話機５０５の第２無線通信部２０７が接続している接続先のアドレス情報およびサービス（コンテンツ）を特定するサービス情報の提供を要求する（ステップＱ７）。携帯電話機５０５は、第２無線通信部２０７で通信している相手（テレビ１０１）のアドレス情報およびサービス情報を携帯電話機５０６に渡す（ステップＱ８）。携帯電話機５０６は、受け取った携帯電話機５０５の第２無線通信部２０７が通信しているテレビ１０１のアドレス情報を利用して、テレビ１０１に第２無線通信での接続を要求する（ステップＱ９）。そのテレビ１０１は接続を許可し（ステップＱ１０）、認証により接続処理を行い、第２無線通信を行う（ステップＱ１１）。
【００７１】
携帯電話機５０６は、携帯電話機５０５から受け取ったサービス情報をテレビ１０１に渡す（ステップＱ１２）。テレビ１０１は受信したサービス情報をサービスサーバ１１０に渡す（ステップＱ１３）。サービスサーバ１１０は、受信したサービス情報からテレビ１０１、携帯電話機５０６に適したコンテンツをテレビ１０１に渡す（ステップＱ１４）。そして、テレビ１０１は、コンテンツを携帯電話機５０５に渡し（ステップＱ１５）、携帯電話機５０６に渡す（ステップＱ１６）。
【００７２】
携帯電話機５０６が追加されたことにより、テレビ１０１、または携帯電話機５０５が利用するコンテンツが、携帯電話機５０６のユーザと一緒に利用できる形に改変される。これにより、携帯電話機５０５のユーザと携帯電話機５０６のユーザとが一緒に同じサービスを利用でき、さらに共通で利用するテレビ１０１の画面も２人で利用するための適したＵＩが提供できる。
【００７３】
（携帯電話機の処理）
図１０、図１１は、携帯電話機５０６の処理を示すフローチャートである。まず、第１無線通信の有無を確認し（ステップＲ１）、第１無線通信があれば、自端末が親機設定であるかを確認する（ステップＲ２）。親機設定でなければ、自端末の第２無線通信の接続状況を確認し（ステップＲ３）、非接続であれば、第１無線通信で携帯電話機５０６の第２無線通信の接続状況を確認する（ステップＲ４）。
【００７４】
回答があったときに問い合わせの結果が非接続であれば、その相手機器の第２無線通信部２０７のアドレス情報を要求する（ステップＲ６）。そしてアドレス情報の取得を確認し（ステップＲ７）、取得したときには、携帯電話機５０６は、アドレス情報により特定される機器に対して、第２無線通信の接続を要求する（ステップＲ８）。そして、接続先からの接続許可の取得を確認し（ステップＲ９）、接続許可が得られたときには第２の無線通信によりアドレス情報により特定される機器に接続して通信を行う（ステップＲ１０）。
【００７５】
一方、相手の端末の第２無線通信の接続状況が接続中であれば、第２無線通信の接続先のアドレス情報と利用しているサービスのサービス情報を問い合わせ（ステップＲ１１）、アドレス情報およびサービス情報の受信を確認する（ステップＲ１２）。この処理は、接続管理部２０３が接続先のアドレス情報と利用しているサービスのサービス情報を第１無線通信制御部２０４に問い合わせることで行う。また、第１無線通信制御部２０４が行った接続先のアドレス情報の問い合わせの結果については接続管理部２０３に渡し、サービス情報の問い合わせの結果については、サービス管理部２０８に渡す処理を行う。
【００７６】
次に、接続管理部２０３が受け取ったアドレス情報を利用して、第２無線通信でアドレス先に接続を要求する（ステップＲ１３）。そして、接続先からの接続許可の取得を確認し（ステップＲ１４）、接続許可が得られたときには第２の無線通信によりアドレス情報により特定される機器を認証し、これに接続して通信を行う（ステップＲ１５）。第２無線通信での接続が確立したら、第２無線通信制御部２０６がサービス管理部２０８に対し接続が確立した旨を通知する。通知を受けたサービス管理部は先ほど、第１無線通信を利用して受信したサービス情報があるか否かを確認する（ステップＲ１６）。
【００７７】
確認によりサービス情報が無ければ、そのまま終了する。一方、確認によりサービス情報があれば、さらにそのサービス情報のサービスＩＤに対応したユーザＩＤがあるか否かを確認する（ステップＲ１７）。ユーザＩＤが無かった場合、サービス情報をそのまま接続相手に渡し（ステップＲ１８）、ステップＲ２１に進む。ユーザＩＤがあった場合、ユーザＩＤを取得し（ステップＲ１９）、そのユーザＩＤに対応するパスワードをサービス情報に付加し、第２無線通信制御部２０６にそのサービス情報を送信する（ステップＲ２０）。第２無線通信制御部２０６は、そのサービス情報を第２無線通信で接続相手に渡す。
【００７８】
次に、サービスサーバ１１０またはテレビ１０１からコンテンツの受信があるか否かを確認する（ステップＲ２１）。コンテンツを受信したら、そのコンテンツを表示、またはアプリケーションを動作させる（ステップＲ２２）。このようにして、ユーザはサービスサーバからサービスを受けることができる。
【００７９】
なお、ユーザＩＤを付加する場合は、そのユーザに適した質の高いサービスを提供することができる。たとえば、以前にユーザが利用したデータを引き続き利用できたり、利用した履歴などを記録したりすることができる。また、ユーザＩＤを付加しない場合は、ユーザＩＤを付加する場合に比べてサービス内容は劣るが、そのサービスのデフォルトのサービスが利用でき、ユーザにユーザＩＤを登録してもらうように促すこともできる。また、サービス情報の中には、紹介されたユーザのＩＤ情報が含まれるため、紹介したユーザにもメリットを提供したり、ユーザが一緒に遊んだユーザを互いに記録として残したりすることができる。
【００８０】
（ユーザＩＤ管理表）
図１２は、サービス管理部２０８が管理するユーザＩＤ管理表を示す図である。図１２に示すように、サービス管理部２０８ではサービス会社ごとに、サービスＩＤ、ユーザＩＤ、パスワードが対応付けて管理されている。
【００８１】
このユーザＩＤ管理表を利用する場面について説明する。携帯電話機５０５から第１無線通信で受け取ったサービス情報には、サービスＩＤとそのサービスを利用しているユーザのユーザＩＤが含まれている。携帯電話機５０６は、このサービスＩＤと一致するサービスＩＤがユーザＩＤ管理表にあるかどうかを確認し、一致するサービスＩＤであれば、対応するユーザＩＤとパスワードをサービス情報に付加する。このようにサービス管理部２０８によりこの処理が行われるときにユーザＩＤ管理表が利用される。
【００８２】
上記の例において、必ずしも携帯電話機５０５、５０６等の機種が同じである必要はなく、携帯電話機の機種が異なっても同様にサービスが受けられる。この場合には、携帯電話機の機種情報もサービス情報に付加してサービスサーバ１１０に送り、各携帯電話機のユーザは携帯電話機の機種にあったコンテンツサービスを受けられる。また、上記の説明では、端末装置の例として主に携帯電話機を説明しているが、端末装置がテレビ等の機器であってもよい。なお、以上の実施形態における各処理はプログラムの実行により行われる。
【符号の説明】
【００８３】
１００  無線通信システム
１０１〜１０３  テレビ
１０４  ルータ
１０５〜１０８  携帯電話機（端末装置）
１０９  インターネット
１１０  サービスサーバ
１１１  携帯電話機
２０１  表示部
２０２  表示制御部
２０３  接続管理部
２０４  第１無線通信制御部
２０５  第１無線通信部
２０６  第２無線通信制御部
２０７  第２無線通信部
２０８  サービス管理部
４００  無線通信システム
５００  無線通信システム
５０５〜５０８  携帯電話機（端末装置）
Ｒ  リモコンアプリ
Ｌ  ログインＩＤデータ
【図１】
2011091651.tif 000003
【図２】
2011091651.tif 000004
【図３】
2011091651.tif 000005
【図４】
2011091651.tif 000006
【図５】
2011091651.tif 000007
【図６】
2011091651.tif 000008
【図７】
2011091651.tif 000009
【図８】
2011091651.tif 000010
【図９】
2011091651.tif 000011
【図１０】
2011091651.tif 000012
【図１１】
2011091651.tif 000013
【図１２】
2011091651.tif 000014